【事件の表示】
　特願２００７−１５６２９１「受信装置」拒絶査定不服審判事件〔平成２０年１２月２５日出願公開、特開２００８−３１１８３８〕について、次のとおり審決する。
【結　論】
　本件審判の請求は、成り立たない。
【理　由】
第１．手続の経緯  
　本願は、平成１９年６月１３日の出願であって、平成２３年１１月２５日付けで拒絶理由通知がなされ、平成２４年１月２０日付けで手続補正書が提出され、同年２月１３日付けで拒絶査定がなされ、同年５月２１日付けで拒絶査定不服審判の請求がなされるとともに手続補正書が提出されたものである。 
　 
　 
第２．平成２４年５月２１日付けの手続補正書による補正についての補正却下の決定 
［補正却下の決定の結論］  
　平成２４年５月２１日付けの手続補正書による補正（以下、「本件補正」と呼ぶ。）を却下する。  
　  
［理由］ 
１．補正内容 
　本件補正は、特許請求の範囲の請求項１を、次のとおりに変更する補正事項を含むものである。
　
「　【請求項１】
　複数の周波数帯の信号を選択的に受信する信号受信部と、クロック信号に基づいて動作するデジタル回路と、前記クロック信号を供給するクロック供給回路とを備えた受信装置において、
　前記信号受信部が受信する信号は映像データを含むものであり、
　前記デジタル回路は、該映像データをデコード処理するデコーダ回路と、該デコーダ回路がデコードした映像信号に基づき液晶ディスプレイを駆動して映像出力させるＬＣＤコントローラとを含み、
　前記クロック供給回路は、周波数可変型のＰＬＬ回路を有し、該ＰＬＬ回路により前記クロック信号を生成する構成であり、
　前記ＰＬＬ回路の発振周波数を切換制御する制御手段と、
　前記信号受信部で受信可能な複数の受信チャンネルと、該受信チャンネルの周波数帯と干渉を起こさない前記ＰＬＬ回路の発振周波数の設定内容とが、それぞれ対応させて格納されたデータテーブルを記憶した記憶手段と
を備え、
　前記制御手段は、
　マイクロコンピュータが所定のプログラムを実行することによってなるものであり、
　前記受信チャンネルが変更された場合に、前記記憶手段のデータテーブルの設定内容に従って前記ＰＬＬ回路の発振周波数を切り換えて前記デコーダ回路、前記ＬＣＤコントローラ及び前記マイクロコンピュータへ同一のクロック信号を供給することを特徴とする受信装置。」
　
２．補正の目的
　本件補正が、特許法第１７条の２第５項の規定各号の目的に該当するかどうか検討する。
　
２−１．請求項の削除（特許法第１７条の２第５項第１号）について
　審判請求人は、平成２４年６月１３日付け手続補正書で補正した「審判請求書」の「請求の理由」の中で、「補正前の請求項１を削除し、補正前の請求項２〜５を補正後の請求項１〜４として繰り上げました。」と主張していることから、以下で、本件補正が請求項の削除を目的とするかどうか検討する。
　本件補正前の特許請求の範囲の請求項１（以下、「本件補正前の請求項１」という。）、及び、請求項２（以下、「本件補正前の請求項２」という。）の記載は、平成２４年１月２０日付けの手続補正書の特許請求の範囲の請求項２に記載された以下のとおりである。
　
「　【請求項１】
　複数の周波数帯の信号を選択的に受信する信号受信部と、クロック信号に基づいて動作するデジタル回路と、前記クロック信号を供給するクロック供給回路とを備えた受信装置において、
　前記信号受信部が受信する信号は映像データを含むものであり、
　前記デジタル回路は、該映像データをデコード処理するデコーダ回路と、該デコーダ回路がデコードした映像信号に基づき液晶ディスプレイを駆動して映像出力させるＬＣＤコントローラとを含み、
　前記クロック供給回路は、周波数可変型のＰＬＬ回路を有し、該ＰＬＬ回路により前記クロック信号を生成する構成であり、
　前記ＰＬＬ回路の発振周波数を切換制御する制御手段を備え、
　前記制御手段は、
　前記信号受信部で受信する信号の周波数帯と、前記クロック供給回路のクロック信号の周波数とが干渉する関係にある場合に、前記ＰＬＬ回路の発振周波数を切り換えて前記デコーダ回路及び前記ＬＣＤコントローラへ供給することを特徴とする受信装置。
　【請求項２】
　前記信号受信部で受信可能な複数の受信チャンネルと、該受信チャンネルの周波数帯と干渉を起こさない前記ＰＬＬ回路の発振周波数の設定内容とが、それぞれ対応させて格納されたデータテーブルを記憶した記憶手段を有し、
　前記制御手段は、
　マイクロコンピュータが所定のプログラムを実行することによってなるものであり、
　前記受信チャンネルが変更された場合に、前記記憶手段のデータテーブルの設定内容に従って前記ＰＬＬ回路の発振周波数を切り換えて前記デコーダ回路、前記ＬＣＤコントローラ及び前記マイクロコンピュータへ供給することを特徴とする請求項１記載の受信装置。」
　
　本件補正前の請求項２は本件補正前の請求項１を引用していることに鑑みると、本件補正前の請求項２は、「前記制御手段は、前記信号受信部で受信する信号の周波数帯と、前記クロック供給回路のクロック信号の周波数とが干渉する関係にある場合に、前記ＰＬＬ回路の発振周波数を切り換えて前記デコーダ回路及び前記ＬＣＤコントローラへ供給」し、「前記受信チャンネルが変更された場合に、前記記憶手段のデータテーブルの設定内容に従って前記ＰＬＬ回路の発振周波数を切り換えて前記デコーダ回路、前記ＬＣＤコントローラ及び前記マイクロコンピュータへ供給する」という発明特定事項（以下、「発明特定事項Ａ」という。）を含むものである。
　これに対して、本件補正後の請求項１は、「前記制御手段は、マイクロコンピュータが所定のプログラムを実行することによってなるものであり、前記受信チャンネルが変更された場合に、前記記憶手段のデータテーブルの設定内容に従って前記ＰＬＬ回路の発振周波数を切り換えて前記デコーダ回路、前記ＬＣＤコントローラ及び前記マイクロコンピュータへ同一のクロック信号を供給する」という発明特定事項（以下、「発明特定事項Ｂ」という。）を含むものである。
　発明特定事項Ａと発明特定事項Ｂとは、ＰＬＬ回路の発振周波数の切り換えが「前記受信チャンネルが変更された場合」に行われる点で一致しているものの、発明特定事項Ａが含んでいる「前記信号受信部で受信する信号の周波数帯と、前記クロック供給回路のクロック信号の周波数とが干渉する関係にある場合」にＰＬＬ回路の発振周波数を切り換えることを、発明特定事項Ｂは含んでいないことから、補正前の請求項１を削除し、補正前の請求項２を補正後の請求項１に繰り上げたとはいえず、本件補正は、特請求項の削除（特許法第１７条の２第５項第１号）を目的として補正されたものとはいえない。
　
２−２．その他の目的（特許法第１７条の２第５項第２号〜第４号）について
　「２−１」で検討したごとく、本件補正は審判請求人が主張する「請求項の削除」を目的とする補正であるとはいえないため、これ以外の目的に該当するかどうか検討する。
　
　本件補正前の請求項１は、「前記制御手段は、前記信号受信部で受信する信号の周波数帯と、前記クロック供給回路のクロック信号の周波数とが干渉する関係にある場合に、前記ＰＬＬ回路の発振周波数を切り換えて前記デコーダ回路及び前記ＬＣＤコントローラへ供給する」という発明特定事項（以下、「発明特定事項Ｃ」という。）を含むものである。
　これに対して、本件補正後の請求項１は、「前記制御手段は、マイクロコンピュータが所定のプログラムを実行することによってなるものであり、前記受信チャンネルが変更された場合に、前記記憶手段のデータテーブルの設定内容に従って前記ＰＬＬ回路の発振周波数を切り換えて前記デコーダ回路、前記ＬＣＤコントローラ及び前記マイクロコンピュータへ同一のクロック信号を供給する」という発明特定事項Ｂを含むものである。
　してみると、ＰＬＬ回路の発振周波数の切り換えが、発明特定事項Ｃでは「前記信号受信部で受信する信号の周波数帯と、前記クロック供給回路のクロック信号の周波数とが干渉する関係にある場合」であるのに対して、発明特定事項Ｂでは「前記受信チャンネルが変更された場合」であり、ＰＬＬ回路の発振周波数の切り換えが行われる場合が異なっているから、発明特定事項Ｂは発明特定事項Ｃを限定するものといえず、本件補正は、特許請求の範囲の減縮（特許法第１７条の２第５項第２号）を目的として補正されたものとはいえない。
　
　そして、本件補正は、明りょうでない記載の釈明（特許法第１７条の２第５項第４号）、または誤記の訂正（特許法第１７条の２第５項第３号）を目的として補正されたものでないことは明らかである。 
　
３．まとめ
　よって、本件補正は、特許法第１７条の２第５項の規定に違反するので、同法第１５９条第１項において読み替えて準用する同法第５３条第１項の規定により却下すべきものである。
　
　
第３．上記補正却下の決定を前提とした本願についての検討
１．本願発明
　平成２４年５月２１日付けの手続補正は上記のとおり却下されたので、本願の特許請求の範囲の請求項１に係る発明（以下、「本願発明」と呼ぶ。）は、平成２４年１月２０日付けの手続補正書の特許請求の範囲の請求項１に記載された、次のとおりのものである。　
「　【請求項１】
　複数の周波数帯の信号を選択的に受信する信号受信部と、クロック信号に基づいて動作するデジタル回路と、前記クロック信号を供給するクロック供給回路とを備えた受信装置において、
　前記信号受信部が受信する信号は映像データを含むものであり、
　前記デジタル回路は、該映像データをデコード処理するデコーダ回路と、該デコーダ回路がデコードした映像信号に基づき液晶ディスプレイを駆動して映像出力させるＬＣＤコントローラとを含み、
　前記クロック供給回路は、周波数可変型のＰＬＬ回路を有し、該ＰＬＬ回路により前記クロック信号を生成する構成であり、
　前記ＰＬＬ回路の発振周波数を切換制御する制御手段を備え、
　前記制御手段は、
　前記信号受信部で受信する信号の周波数帯と、前記クロック供給回路のクロック信号の周波数とが干渉する関係にある場合に、前記ＰＬＬ回路の発振周波数を切り換えて前記デコーダ回路及び前記ＬＣＤコントローラへ供給することを特徴とする受信装置。」
　
２．引用文献・周知文献　
（１）原査定の拒絶の理由に引用された特開平１１−３５５１６１号公報（１９９９年１２月２４日公開　以下、「引用文献１」という。）には、図面とともに以下の記載がなされている（なお、下線は当審が付与した。）。
　
（ア）「【０００８】
【発明の実施の形態】以下本発明をページング受信機のクロック発生回路に適用した場合の実施の一形態について図面を参照して説明する。
図１はその回路構成を示すもので、アンテナＡＮＴにより受信される無線信号を無線部１０で図示しない局部発振器による局部発信に基づいて周波数変換、復調及び自己の呼出番号でデコードすることにより、自己宛てのメッセージを出力する。また、１１が個別呼出受信の動作制御を司るＣＰＵであり、このＣＰＵ１１には時刻のカウント等を行なうための周波数ｆ1 の低速クロックを発振する発振子１２が接続されている。
【０００９】
ＣＰＵ１１は、この発振子１２からの低速クロックにより常時計時その他の動作を行ない、またこの低速クロックをそのままＰＬＬ回路１３へ供する一方、ＶＣＯ（電圧制御発振器）１４から入力される周波数ｆ2 （ｆ2 ＞ｆ1 ）の高速クロックを受けて個別呼出受信を受けた際の処理を実行するもので、また、本発明の特徴である受信周波数と高速クロック周波数の整数倍が重なった時、ＰＬＬ回路１３に対して高速クロックの周波数をずらすために制御信号を送出する。
【００１０】
ＰＬＬ回路１３は、プログラマブル分周器１３ａ、位相比較器１３ｂ、及びプログラマブル分周器１３ｃから構成される。プログラマブル分周器１３ａは、ＣＰＵ１１から供される周波数ｆ1 の低速クロックに対し、ＣＰＵ１１から入力される制御信号で指示される分周比Ｎ1 をもって分周することで比較周波数ｆ3 の信号を発生し、これを位相比較器１３ｂへ送出する。
【００１１】
またプログラマブル分周器１３ｃは、ＶＣＯ１４から入力される周波数ｆ2 の高速クロックに対し、ＣＰＵ１１から入力される制御信号で指示される分周比Ｎ2 をもって分周してその結果を位相比較器１３ｂへ送出する。
【００１２】位相比較器１３ｂでは、上記各プログラマブル分周器１３ａ，１３ｃからそれぞれ入力される分周結果の位相を比較してその差に応じた電圧信号を発生して上記ＶＣＯ１４へ出力する。
ＶＣＯ１４はこの位相比較器１３ｂからの電圧信号に対応して上述したように周波数ｆ2 の高速クロックを発生し、上記ＣＰＵ１１及びＰＬＬ回路１３のプログラマブル分周器１３ｃへ送出する。
　
（イ）「【００１８】したがって、
ＣＰＵ１１がＰＬＬ回路１３への制御信号によりプログラマブル分周器１３ａの分周比Ｎ1 を２、プログラマブル分周器１３ｃの分周比Ｎ2 を３８、３９，４１，４２のいずれかに設定し、発振子１２の発振する周波数ｆ1 の低速クロックを基準としてＰＬＬ回路１３及びＶＣＯ１４により周波数ｆ2 の高速クロックを発振させるようにすることで、高速クロックの周波数ｆ2 の整数倍が受信周波数ｆｒと一致してしまうのを回避して、受信感度の劣化を未然に防止することができる。
【００１９】上記動作で説明した如く、周波数ｆ1 の低速クロックを基準としてＰＬＬ回路１３及びＶＣＯ１４で周波数ｆ2 の高速クロックを発振するものとしたため、高速クロックを発振するための例えばセラミック振動子などの発振子が不要となり、全体の回路構成を簡略化することができると共に、高速クロックの周波数ｆ2の整数倍を通信回線の周波数ｆｒから離間して設定することで、受信感度の劣化を生じないようにすることができる。」
　
（ウ）「【００２２】また、
上記実施の形態はページング受信機のクロック発生回路に適用した場合について例示したものであるが、１チャンネル当たりの受信帯域幅がより広いＰＨＳ（Ｐｅｒｓｏｎａｌ  Ｈａｎｄｙｐｈｏｎｅ  Ｓｙｓｔｅｍ：簡易型コードレス電話システム）等の無線あるいは有線通信端末機に適用する場合には、受信帯域幅の上限及び下限をそれぞれ計算し、その範囲内となるような分周比Ｎ2 を使用しないものとすればよい。
　
　以上の（ア）〜（ウ）の記載と図面とを総合すれば、引用文献１には、次の発明（以下、「引用発明」という。）が記載されている。
　
「無線部、ＣＰＵ、及び、ＰＬＬ回路を備えたＰＨＳの無線通信端末機であって、
　無線部は、アンテナＡＮＴにより受信される無線信号を周波数変換、復調及び自己の呼出番号でデコードすることにより、自己宛てのメッセージを出力し、
　ＣＰＵは、個別呼出受信の動作制御を司るとともに、低速クロックにより常時計時その他の動作を行ない、周波数ｆ1 の低速クロックをそのままＰＬＬ回路へ供する一方、ＶＣＯ（電圧制御発振器）から入力される周波数ｆ2 （ｆ2 ＞ｆ1 ）の高速クロックを受けて個別呼出受信を受けた際の処理を実行するもので、また、受信周波数と高速クロック周波数の整数倍が重なった時、ＰＬＬ回路に対して高速クロックの周波数をずらすために制御信号を送出し、
　ＰＬＬ回路は、２つのプログラマブル分周器と位相比較器とから構成され、一方のプログラマブル分周器は、ＣＰＵから供される周波数ｆ1 の低速クロックに対し、ＣＰＵから入力される制御信号で指示される分周比Ｎ1 をもって分周することで比較周波数ｆ3 の信号を発生し、これを位相比較器１３ｂへ送出し、他方のプログラマブル分周器は、ＶＣＯから入力される周波数ｆ2 の高速クロックに対し、ＣＰＵから入力される制御信号で指示される分周比Ｎ2 をもって分周してその結果を位相比較器へ送出し、位相比較器では、各プログラマブル分周器からそれぞれ入力される分周結果の位相を比較してその差に応じた電圧信号を発生してＶＣＯへ出力し、ＶＣＯはこの位相比較器からの電圧信号に対応して周波数ｆ2 の高速クロックを発生し、ＣＰＵ及びＰＬＬ回路のプログラマブル分周器へ出力することにより、
　ＣＰＵがＰＬＬ回路への制御信号により２つのプログラマブル分周器の分周比を設定し、周波数ｆ1 の低速クロックを基準としてＰＬＬ回路及びＶＣＯにより周波数ｆ2 の高速クロックを発振させるようにすることで、高速クロックの周波数ｆ2 の整数倍が受信周波数ｆｒと一致してしまうのを回避して、受信感度の劣化を未然に防止することができる
　ＰＨＳ（簡易型コードレス電話システム）の無線通信端末機。」
　
（２）特開２０００−３２２０３０号公報（以下、「周知文献１」という。）には、以下の事項が記載されている（なお、下線は当審が付与した。）。
　「【０００２】
【従来の技術】
近年、半導体技術や液晶技術の進展、また、通信技術との融合により、携帯電話やポケットベル等の携帯情報端末が急激に普及し、文字や画像を含めた様々な情報の送受信が行われるようになってきている。このような携帯情報端末においては、通常、数インチ程度の小型の液晶表示モジュール（ＬＣＤＭ）と、その表示画面に対応した画像データを格納する画像メモリとを備えており、一般に、文字や線画等の情報を中心とする白黒２値画像、あるいは、中間階調を付加した多値画像を表示する機能を有している
【０００３】
従来の液晶表示モジュールの概略構成は、図９に示すように、大別して液晶表示パネル１０と、信号ドライバ２０と、走査ドライバ３０と、コントローラ４０と、を有している。５０はＣＰＵ、６０は画像メモリである。
【０００４】
コントローラ４０は、水平クロック信号、垂直クロック信号及び同期信号に基づいて、水平制御信号及び垂直制御信号を生成して、信号ドライバ２０及び走査ドライバ３０に供給することにより、所定のタイミングで液晶画素に信号電圧を印加して、液晶表示パネル１０に所望の画像情報を表示させる制御を行う。
・・・・・・
【０００６】なお、図１０は、
一般的なページャの受信、画像表示部の概略構成を示すものであって、１０１はＲＦ部、１０２はデコーダ部、１０３はＩＤ−ＲＯＭ、１０４は制御部、１０５は表示部、１０６は画像メモリ、１０７は操作部、１０８は電源回路である。
デコーダ部１０２は、ＩＤ−ＲＯＭ３３内に記憶された自己アドレス、あるいは、情報サービス用のアドレスを読み出して、ページャセンタから送信された情報の中から自分宛の画像情報を抽出して、後段の信号制御機能を有する制御部１０４に伝達する。
　
（３）特開２００３−２８３６０４号公報（以下、「周知文献２」という。）には、以下の事項が記載されている（なお、下線は当審が付与した。）。
　「【０００９】本実施例は、本発明の表情伝送機能付情報端末装置を携帯電話機100の信号処理部10に適用した場合である。本発明と直接関係のない部分について図示および説明を省略する。以下の説明で、信号はその現れる接続線の参照番号で指示する。
【００１０】信号処理部10には、送信側として音声キャプチャ部12、映像キャプチャ部14、音声エンコーダ16、データ選択部18、キャラクタ表情抽出合成部20、画像エンコーダ22、同期処理部24、送受信処理部26、
受信側として画像デコーダ28、音声デコーダ30、同期処理部32、液晶コントローラ34および出力アンプ36が含まれている。
・・・・・・
【００２４】送受信処理部26は、送信においてあらかじめ決められたデータ形式に合わせて送信データ58や送受信データ54のうちの送信データを、たとえばパケット化し、所定の周波数の電波60により図示しない基地局に送出する。また、
送受信処理部26は、受信において基地局からの電波60を受信し、データ形式にパッキングされている受信データにデパケット化を施して画像データ62および音声データ64のデータ分離処理を行っている。送受信処理部26は、受信した画像データ62および音声データ64を画像デコーダ28と音声デコーダ30のそれぞれに出力する。また、送受信処理部26は、前述したように、ASPサーバからダウンロードしたキャラクタ画像データ54をキャラクタ表情抽出合成部20に供給している。
【００２５】
画像デコーダ28は、供給される画像データ62に対する伸長復号処理を施す回路を用いている。
・・・・・・
【００２７】
液晶コントローラ34は、供給される画像データを前述した液晶モニタに表示させる制御を行う回路である。本実施例では、３つの画像データ44, 50, 70が液晶コントローラ34に供給されている。液晶コントローラ34は、画像データ44, 50を同じ大きさの画像に表示させ、画像データ70を最も大きい画像に表示させる制御を行っている。
　
（４）特開２００６−３３２８５７号公報（以下、「周知文献３」という。）には、以下の事項が記載されている（なお、下線は当審が付与した。）。
　「【００２７】
  また、
受信装置１は、チャンネルテーブル２ａにおいて、この時点で選択されているチャンネル（該当チャンネル）に対応付けられている、デコード部４に供給する動作クロックの周波数を読み出す（ｓ３）。受信装置１は、クロック生成部７に対して、ｓ３で読み出した周波数のクロックの生成を指示する（ｓ４）。これにより、クロック生成部７は、今回指示された周波数のクロックを生成する。
クロック生成部７で生成されたクロックは、デコード部４に動作クロックとして供給される。デコード部４は、クロック生成部４から供給される動作クロックで動作し、受信部３の出力であるＴＳから映像データ、および音声データを分離して取り出すとともに、取り出した映像データ、および音声データをそれぞれデコードする。
・・・・・
【００３０】
  上述したように、
チャンネルテーブル２ａでは、チャンネル毎に、そのチャンネルに対応する周波数帯域に高調波周波数が存在しない周波数が対応付けられている。したがって、受信部３において取り出される、選択されているチャンネルのディジタル放送信号に、デコード部４の動作クロックの高調波が干渉することがない。したがって、デコード部４の動作クロックの高調波がノイズとなって、適正な映像や音声が出力できないという事態が生じるのを防止できる。
　
（５）さらに、特開２００３−３０４１６４号公報（以下、「周知文献４」という。）には、以下の事項が記載されている（なお、下線は当審が付与した。）。　
　「【００２６】本発明は従来の上記実情に鑑み、従来の技術に内在する上記不具合を解消するためになされたものであり、従って本発明の目的は、簡単な構成により
受信周波数で感度劣化及び受信レベル測定誤りの発生を容易かつ的確に除去することを可能とした新規な携帯電話装置を提供することにある。
・・・・・・
【００７０】
第１のＰＬＬ回路１０５３は、時計ＣＬＫ発生器１０５２から出力された時計ＣＬＫの３２．７６８ｋＨｚを比較基準周波数として、電圧制御発振器１０５５の周波数を１５３８分周して、第１のＰＬＬ回路１０５３内の位相比較器に供給する。この位相比較器は、分周された周波数が、比較基準周波数に合致するように、電圧制御発振器１０５５に制御電圧を供給する。
【００７１】このようにして、
第１のＰＬＬ回路１０５３と電圧制御発振器１０５５とにより構成された第１のＰＬＬ発振器は、５０．３９７１８４ＭＨｚの周波数を安定にＣＰＵ１０５７にＣＰＵクロックとして供給する。
【００７２】また、
制御回路１０５９からその制御により、分周数を１５３９とすると、この場合には、電圧制御発振器１０５５は５０．４２９９５２ＭＨｚを安定に発振する。
・・・・・・
【００７７】
ＬＣＤコントローラ１１０１は、接続線１２０１を介して制御部１０５からＣＰＵクロックを受け取る。
　
３．対比
　本願発明と引用発明とを対比すると、
　
（１）引用発明が備える「無線部」は「アンテナＡＮＴにより受信される無線信号を周波数変換、復調及び自己の呼出番号でデコードすることにより、自己宛てのメッセージを出力」するものであるとともに、引用発明はＰＨＳ（簡易型コードレス電話システム）の無線通信端末機であり、その規格である「ＲＣＲ　ＳＴＤ−２８」を参酌すると、ＰＨＳ（簡易型コードレス電話システム）は１８９５．１５０ＭＨｚ〜１９１７．９５０ＭＨｚの７７の周波数帯を用いて通信を行うシステムの無線通信端末機であるから、引用発明の「無線部」は「複数の周波数帯の信号を選択的に受信する信号受信部」であるといえ、また、引用発明は「受信装置」であるといえる。
　
（２）引用発明はＰＨＳ（簡易型コードレス電話システム）の無線通信端末機であり、その規格である「ＲＣＲ　ＳＴＤ−２８」を参酌すると、ＰＨＳ（簡易型コードレス電話システム）の無線通信端末は受信した信号をＴＤＭＡ／ＴＤＤ処理し、コーディックする構成を具備しているとともに、これらの構成はクロック信号に基づいて動作するものであるといえるから、引用発明は「クロック信号に基づいて動作するデジタル回路」を備えているといえる。
　
（３）引用発明が備える「ＰＬＬ回路」は「周波数ｆ2 の高速クロックを発生し、ＣＰＵ及びＰＬＬ回路のプログラマブル分周器へ出力」しているから、引用発明の「ＰＬＬ回路」は「前記クロック信号を供給するクロック供給回路」であるといえる。
　さらに、引用発明は「ＣＰＵがＰＬＬ回路への制御信号により２つのプログラマブル分周器の分周比を設定し、周波数ｆ1 の低速クロックを基準としてＰＬＬ回路及びＶＣＯにより周波数ｆ2 の高速クロックを発振させるようにすることで、高速クロックの周波数ｆ2 の整数倍が受信周波数ｆｒと一致してしまうのを回避して」ており、「高速クロックの周波数ｆ2 の整数倍が受信周波数ｆｒと一致」することは、高速クロックの周波数ｆ2 の整数倍と受信周波数ｆｒとが干渉関係にあるといえるから、引用発明は、「前記クロック供給回路は、周波数可変型のＰＬＬ回路を有し、該ＰＬＬ回路により前記クロック信号を生成する構成であり、前記ＰＬＬ回路の発振周波数を切換制御する制御手段を備え、前記制御手段は、前記信号受信部で受信する信号の周波数帯と、前記クロック供給回路のクロック信号の周波数とが干渉する関係にある場合に、前記ＰＬＬ回路の発振周波数を切り換えて」いるといえる。
　
　してみると、両者の一致点及び相違点は、次のとおりである。
　
＜一致点＞
　「複数の周波数帯の信号を選択的に受信する信号受信部と、クロック信号に基づいて動作するデジタル回路と、前記クロック信号を供給するクロック供給回路とを備えた受信装置において、
　前記クロック供給回路は、周波数可変型のＰＬＬ回路を有し、該ＰＬＬ回路により前記クロック信号を生成する構成であり、
　前記ＰＬＬ回路の発振周波数を切換制御する制御手段を備え、
　前記制御手段は、
　前記信号受信部で受信する信号の周波数帯と、前記クロック供給回路のクロック信号の周波数とが干渉する関係にある場合に、前記ＰＬＬ回路の発振周波数を切り換えることを特徴とする受信装置。」
　
＜相違点＞
　本願発明は、「前記信号受信部が受信する信号は映像データを含むものであり、
　前記デジタル回路は、該映像データをデコード処理するデコーダ回路と、該デコーダ回路がデコードした映像信号に基づき液晶ディスプレイを駆動して映像出力させるＬＣＤコントローラとを含み、
前記ＰＬＬ回路の発振周波数を前記デコーダ回路及び前記ＬＣＤコントローラへ供給する」ものであるのに対して、引用発明では、そのような特定はなされていない点。
　
 ４．当審の判断
　上記相違点について検討すると、ＰＨＳの無線通信端末では、内蔵するカメラで撮影した映像データを送受信するとともに、受信した映像データをＬＣＤに表示させることが常套的に行われている事項であり、映像データを受信可能とするために、受信する信号を映像データを含むものとし、映像該映像データをデコード処理するデコーダ回路と、該デコーダ回路がデコードした映像信号に基づき液晶ディスプレイを駆動して映像出力させるＬＣＤコントローラとを無線通信端末に設けることは周知な事項である。
　例えば、周知文献１及び２を参照。
　
　さらに、受信機が備えるデコーダ回路やＬＣＤコントローラへ供給するクロック信号の周波数を切り替え、受信する信号の周波数とクロック信号の高調波周波数とが干渉しないようにすることも周知な事項である。
　例えば、クロック信号の周波数を切り替えてデコーダ回路へ供給するものとしては周知文献３、クロック信号の周波数を切り替えてＬＣＤコントローラへ供給するものとしては周知文献４を参照。
　
　してみると、引用発明において、映像データを受信可能とするために、受信する信号を映像データを含むものとし、映像該映像データをデコード処理するデコーダ回路と、該デコーダ回路がデコードした映像信号に基づき液晶ディスプレイを駆動して映像出力させるＬＣＤコントローラとを無線通信端末に設けるとともに、受信する信号の周波数とクロック信号の高調波周波数とが干渉することがないように、クロック信号の周波数を切り替えて、受信機が備えるデコーダ回路やＬＣＤコントローラへ供給すること、すなわち、「前記信号受信部が受信する信号は映像データを含むものであり、
　前記デジタル回路は、該映像データをデコード処理するデコーダ回路と、該デコーダ回路がデコードした映像信号に基づき液晶ディスプレイを駆動して映像出力させるＬＣＤコントローラとを含み、
前記ＰＬＬ回路の発振周波数を前記デコーダ回路及び前記ＬＣＤコントローラへ供給する」ようにすることは、当業者であれば容易になし得る事項である。
　
　また、本願発明により得られる効果は、引用発明や周知な事項から当業者が予測し得ないようなものではなく、本願発明の進歩性を肯定する根拠となり得るものではない。
　
　よって、本願発明は、引用発明及び周知な事項に基づいて、当業者が容易に発明することができたものである。
　
５．まとめ  
　以上のとおり、本願発明は、引用発明及び周知な事項に基づいて、当業者が容易に発明をすることができたものであるから、特許法２９条２項の規定により特許を受けることができない。  
　
　
第４．むすび 
　以上のとおりであるから、本願は、他の請求項に係る発明について検討するまでもなく、拒絶すべきものである。
　
　よって、結論のとおり審決する。